(57)【要約】【課題】  ユーザに意識させることなくメーカーが推奨する演奏バージョンにて楽曲を再生できる楽曲指定と、ユーザが所望する演奏バージョンにて楽曲を再生できる楽曲指定を両立して実現する。【解決手段】  統一楽曲ＩＤと複数の個別楽曲ＩＤとを対応付けると共に、優先利用する１の個別楽曲ＩＤを判別可能とする参照テーブルと、入力された楽曲ＩＤが統一楽曲ＩＤであるか、個別楽曲ＩＤであるかを判断し、統一楽曲ＩＤであると判断した場合は、参照テーブルを用いて優先利用する個別楽曲ＩＤを判別して再生手段に指定し、個別楽曲ＩＤであると判断した場合は、当該個別楽曲ＩＤを再生手段に指定する指定手段を備える。【選択図】      図１２
2010060844.tif 000002
【特許請求の範囲】
【請求項１】
統一楽曲ＩＤと複数の個別楽曲ＩＤとを対応付けると共に、優先利用する１の個別楽曲ＩＤを判別可能とする参照テーブルと、
入力された楽曲ＩＤが統一楽曲ＩＤであるか、個別楽曲ＩＤであるかを判断し、統一楽曲ＩＤであると判断した場合は、参照テーブルを用いて優先利用する個別楽曲ＩＤを判別して再生手段に指定し、個別楽曲ＩＤであると判断した場合は、当該個別楽曲ＩＤを再生手段に指定する指定手段と、
指定手段により指定された個別楽曲ＩＤに対応する演奏情報を再生する再生手段とを備える
カラオケ装置。
【請求項２】
指定手段は、楽曲ＩＤを入力可能な入力手段を備える
請求項１に記載のカラオケ装置。
【請求項３】
指定手段は、楽曲リストと、表示手段と、入力手段を備え、
楽曲リストは、楽曲ＩＤと、曲名など楽曲に関連する関連情報とを対応付け、
表示手段は、楽曲リストに基づいて関連情報を表示し、
入力手段は、表示されている関連情報が選択されることにより楽曲ＩＤを入力可能とする
請求項１または請求項２に記載のカラオケ装置。
【請求項４】
参照テーブルは、個別楽曲ＩＤの優先順位を判別可能なテーブルであって、
指定手段で指定された個別楽曲ＩＤに対応する演奏情報が再生手段にて再生できない場合、参照テーブルを用いて、再生可能な演奏情報の個別楽曲ＩＤを指定する再指定手段を備えた
請求項１乃至請求項３のいずれか１つに記載のカラオケ装置。
【請求項５】
再指定手段で指定された個別楽曲ＩＤに対応する演奏情報のバージョン名を告知する告知手段を備えた
請求項４に記載のカラオケ装置。
【請求項６】
指定された個別楽曲ＩＤに対応する演奏情報が再生手段にて再生できない場合、ユーザに対してその旨を告知する告知手段を備えた
請求項１乃至請求項３のいずれか１つに記載のカラオケ装置。
【発明の詳細な説明】
【技術分野】
【０００１】
本発明は、楽曲の再生に合わせて歌唱を楽しむカラオケ装置に関するものであって、特に、その楽曲の指定に特徴を有するカラオケ装置に関する。
【背景技術】
【０００２】
従来、通信型カラオケ装置では、楽曲演奏に利用する演奏情報はＭＩＤＩ規格によるものがほとんどであった。このＭＩＤＩ規格による演奏情報はデータ量が比較的小さいため、従来の電話回線によるネットワーク回線、記憶容量の少ないハードディスクにおいても十分に配信を行うことが可能であり、通信型カラオケ装置の普及に大いに貢献するものであった。
【０００３】
現在、カラオケ装置は、その内部の記憶手段の大容量化、インターネットなどによるネットワークの高速化が進み、カラオケ装置が扱うことのできる楽曲の数は飛躍的に増大しつつある。また、ＭＩＤＩを利用した演奏情報のみならず、生の録音にＭＰＥＧ規格による音声圧縮を施した演奏情報や、ＭＩＤＩ規格とＭＰＥＧ規格の両方を組み合わせた演奏情報のようにデータ量が大きい演奏情報を扱うことが可能となっている。このようにカラオケにおけるインフラの整備、演奏情報の進歩に伴い、従来、ＭＩＤＩ規格で作成されていた楽曲についても見直され、各種新しい規格による演奏情報が作成されつつある。
【０００４】
特許文献１には、同一楽曲について、ＭＩＤＩ形式による高圧縮カラオケデータと、ＭＰ３形式による低圧縮カラオケデータとを異なるハードディスクに記憶しておき、指定された一方のカラオケデータが正しく読み出せなかった場合、指定されたカラオケデータに代えて、他方のカラオケデータを読み出して提供することのできる冗長構造データベースを備えたカラオケ装置が記載されている。
【０００５】
特許文献２には、楽曲ＩＤの指定により選曲指示された際、固有楽曲管理テーブルに基づいて当該機種で再生できると判断した場合には当該楽曲ＩＤを用いて選曲指示を行い、選曲指示された楽曲ＩＤが当該機種で再生できないと判断した場合には、包括楽曲管理テーブルの所定項目の楽曲属性データと固有楽曲管理テーブルにおける共通する所定項目の楽曲データとに基づいて、代わりの楽曲ＩＤを抽出して選曲指示を行うカラオケ代替曲抽出システムについて記載されている。
【特許文献１】特開２００５−７７５２９号公報
【特許文献２】特開２００８−８９９４号公報
【発明の開示】
【発明が解決しようとする課題】
【０００６】
これら特許文献にみられるようにカラオケ装置にて使用する演奏情報の規格には、電子楽器を利用したＭＩＤＩ規格、生音を録音することよるＭＰＥＧ音声規格のような複数の規格が知られている。これら以外にも複数の規格を組み合わせた演奏情報（例えば、ドラムなどのリズムパートについてはＭＩＤＩ規格を利用し、その他のパートについては生音を録音したＭＰＥＧ音声規格を利用したもの）や、ＰＣＭ録音による高品質な演奏情報なども知られるところである。現在のカラオケ装置ではこのような複数規格にわたる演奏情報を１台のカラオケ装置において取り扱うことが可能となっており、同一楽曲について規格の異なる複数の演奏情報が存在する場合がある。
【０００７】
また、同一楽曲について規格の異なる複数の演奏情報のみならず、販売するＣＤ作成などに利用した実際の演奏を録音した演奏情報（以下、「メーカー音源」という）や、歌唱
者のライブ音源を利用した演奏情報、アレンジが異なる演奏情報などのように、同一楽曲について演奏形態が異なる演奏情報を複数収録することも行われている。このようにカラオケ装置では、同一楽曲について、各種規格、あるいは、演奏形態のような演奏バージョンが異なる演奏情報を再生することができる。
【０００８】
このような演奏バージョンが異なる演奏情報を再生する従来のカラオケ装置における楽曲リスト、選曲画面を図１５、図１６に示す。図１５に示すように楽曲名「あいうえおの歌」については、演奏バージョンが異なる４つの演奏情報がそれぞれ楽曲ＩＤに対応付けられている。そして、この４つの演奏情報はそれぞれ、ＭＩＤＩバージョン、生音バージョン、半生音バージョン、メーカー音源といった異なる演奏バージョンで構成されている。このような楽曲リストにて選曲を行う場合、リモコン装置のタッチパネル２０７などに表示される選曲画面は図１６のようになる。図１６において、６０１は検索モードスイッチ、６０２〜６０５は楽曲表示欄、６０６は予約スイッチ、６０７は移動スイッチ、６０８は前画面スイッチを示している。
【０００９】
検索モードスイッチ６０１は、楽曲名順と歌手名順の２つのスイッチで構成され排他的に選択可能となっている。楽曲名順のスイッチを選択すると、検索モードスイッチ５０３の下に表示されているあいうえお順のタブは楽曲名に対応し、歌手名順を選択すれば歌手名に対応したものとなる。ユーザはあいうえお順のタブを選択すると共に、移動スイッチ６０７でページを切り換えることで楽曲表示欄を参照し楽曲を検索する。そして、所望の楽曲を見つけた場合、楽曲表示欄を選択した上で、予約スイッチ６０６を選択することで、当該楽曲表示欄に対応付けられた楽曲ＩＤが予約コマンドとして送信される。
【００１０】
この選曲画面には、演奏バージョンが複数ある楽曲については、それぞれの演奏バージョンに対応する楽曲表示欄が設けられることとなる。図１５の「あいうえおの歌」の例では、ＭＩＤＩバージョン、生音バージョン、半生音バージョン、メーカー音源に対応する４つの楽曲表示欄６０１〜６０５が表示されることとなる。このような選曲画面を利用してユーザは楽曲を選択することとなるが、演奏バージョンについて熟知しないユーザの場合、同一の楽曲についてどれを選択してよいか困惑してしまう状況がみられる。また、従来のテンキーを用いたリモコン装置による選曲では、楽曲番号などの楽曲ＩＤを楽曲名、歌手名などと一緒に掲載したいわゆる歌本をみながら、楽曲ＩＤを入力することとなるが、図１５のように同一楽曲について複数の演奏バージョンが設けられることとなると、歌本のページ数は増大する一方となり、検索や取り扱いも非常に不便なものとなる。
【課題を解決するための手段】
【００１１】
本発明は、このようなカラオケ装置における選曲の不都合を解決するためのものであって、請求項１に係るカラオケ装置は、統一楽曲ＩＤと複数の個別楽曲ＩＤとを対応付けると共に、優先利用する１の個別楽曲ＩＤを判別可能とする参照テーブルと、入力された楽曲ＩＤが統一楽曲ＩＤであるか、個別楽曲ＩＤであるかを判断し、統一楽曲ＩＤであると判断した場合は、参照テーブルを用いて優先利用する個別楽曲ＩＤを判別して再生手段に指定し、個別楽曲ＩＤであると判断した場合は、当該個別楽曲ＩＤを再生手段に指定する指定手段と、指定手段により指定された個別楽曲ＩＤに対応する演奏情報を再生する再生手段とを備えることを特徴とするものである。
【００１２】
さらに、請求項２に係るカラオケ装置は、請求項１に記載のカラオケ装置において、指定手段は、楽曲ＩＤを入力可能な入力手段を備えることを特徴とするものである。
【００１３】
さらに、請求項３に係るカラオケ装置は、請求項１または請求項２に記載のカラオケ装置において、指定手段は、楽曲リストと、表示手段と、入力手段を備え、楽曲リストは、楽曲ＩＤと、曲名など楽曲に関連する関連情報とを対応付け、表示手段は、楽曲リストに
基づいて関連情報を表示し、入力手段は、表示されている関連情報が選択されることにより楽曲ＩＤを入力可能とすることを特徴とするものである。
【００１４】
さらに、請求項４に係るカラオケ装置は、請求項１乃至請求項３のいずれか１つに記載のカラオケ装置において、参照テーブルは、個別楽曲ＩＤの優先順位を判別可能なテーブルであって、指定手段で指定された個別楽曲ＩＤに対応する演奏情報が再生手段にて再生できない場合、参照テーブルを用いて、再生可能な演奏情報の個別楽曲ＩＤを指定する再指定手段を備えたことを特徴とするものである。
【００１５】
さらに、請求項５に係るカラオケ装置は、請求項４に記載のカラオケ装置において、再指定手段で指定された個別楽曲ＩＤに対応する演奏情報のバージョン名を告知する告知手段を備えたことを特徴とするものである。
【００１６】
さらに、請求項６に係るカラオケ装置は、請求項１乃至請求項３のいずれか１つに記載のカラオケ装置において、指定された個別楽曲ＩＤに対応する演奏情報が再生手段にて再生できない場合、ユーザに対してその旨を告知する告知手段を備えたことを特徴とするものである。
【発明の効果】
【００１７】
本発明によれば、ユーザに意識させることなくメーカーが推奨する演奏バージョンにて楽曲を再生できる楽曲指定と、ユーザが所望する演奏バージョンにて楽曲を再生できる楽曲指定を両立して実現できる。
【発明を実施するための最良の形態】
【００１８】
以下、本発明の実施形態を図面を参照しながら説明を行う。図１は、本発明の実施形態に係るカラオケシステムの実施形態を示した図であって、１つの店舗に複数のコマンダが設置されたカラオケボックスとしての営業形態を示している。
【００１９】
図１において、５０は通信網、６０はルータ、７０は無線アクセスポイント、１００はホスト装置、２００はリモコン装置、３００はコマンダをそれぞれ示している。本実施形態において、各コマンダ３００はｒｏｏｍ１〜ｒｏｏｍ４毎に１台ずつ配置され、リモコン装置２００から指示された楽曲を再生する。例えば、コマンダ１が設置されるｒｏｏｍ１では１台のリモコン装置１が配置され、コマンダ１はリモコン装置１からの楽曲指示を受け付ける。また、コマンダ４が設置されるｒｏｏｍ４では２台のリモコン装置４−１、４−２が配置され、コマンダ４は、リモコン装置４−１、４−２のどちらからも楽曲リクエストを受け付ける。なお、楽曲の指示は、リモコン装置２００のみならず、各コマンダ３００のフロントパネルに設けられた入力部からも可能となっている。
【００２０】
各コマンダ３００は、ＬＡＮを介してルータ６０と接続されており、ルータ６０はインターネット回線などの通信網５０を介してホスト装置１００に通信接続される。このような通信接続により、各コマンダ３００は、ホスト装置１００から楽曲情報や、プログラムなどの各種配信を受けることができると共に、ホスト装置１００では各コマンダ３００の利用履歴管理や各利用者の会員サービス管理を行うことが可能となっている。
【００２１】
ＬＡＮ上には、無線アクセスポイント７０が接続されており、各リモコン装置２００と無線通信可能に設定されている。このように設定することで、各リモコン装置２００は予め対応付けられたコマンダ３００と通信可能となる。また、各リモコン装置２００は、コマンダ３００のみならず、通信網５０を介してホスト装置１００との通信も可能となる。ホスト装置１００は、ユーザがログインしているリモコン装置２００に対して会員サービスを提供することができる。
【００２２】
会員サービスは、各会員の個人設定情報をホスト装置１００で管理することで、利用者がどのリモコン装置２００からログインしても、各利用者に対して各種サービスを提供することができるサービスである。この会員サービスには、例えば、個人設定情報にユーザの予約履歴を記録しておくことで、再来店した場合に自分の予約履歴を参照可能としたり、ユーザが気に入った歌手を個人設定情報に登録しておくことでその歌手の持ち歌を参照可能としたり、登録しておいた十八番を参照可能としたり、採点履歴に基づいて他の利用者と得点を競ったりすることなどが考えられる。
【００２３】
本実施形態では、ＬＡＮを介して接続された複数のコマンダ３００による、いわゆるカラオケボックスとしての営業形態を説明したが、スナックなどのナイト店では、１台のコマンダ３００に対して、１台乃至複数台のリモコン装置２００が設置される構成が採用される営業形態となる。
【００２４】
次に、カラオケ装置の一構成となるコマンダ３００についてより詳しく説明する。図２は本発明の実施の形態に係るコマンダ３００及びその周辺のブロック構成を示す図である。３０１は制御部、３０２は通信部、３０３はフロントパネル表示部、３０４は表示制御部、３０５は記憶部、３０６は入力部、３０７は音源部、３０８はミキシング部、４０１はアンプ、４０２はスピーカー、４０３はマイクロフォン、４０４はディスプレイをそれぞれ示している。
【００２５】
コマンダ３００には、ＣＲＴやＴＦＴ等の映像表示装置としてのディスプレイ４０４、音声増幅装置としてのアンプ４０１、音声入力手段としてのマイクロフォン４０３が接続されている。コマンダ３００におけるカラオケ楽曲の再生信号は、アンプ４０１へ送出されスピーカー４０２から演奏音が得られる。一方、カラオケ楽曲の再生に同期した歌詞映像は、背景映像と重畳され、出力映像信号としてディスプレイ４０４に出力される。ユーザは、演奏音と歌詞映像に合わせてマイクロフォン４０３を用いて歌唱を行う。
【００２６】
制御部３０１は、コマンダ３００におけるシステム全体の制御を司る。ハードディスクなどの記憶部３０５には、楽曲情報、映像情報、各種プログラムなどが記憶されている。通信部３０２は、周知規格の有線ＬＡＮなどが用いられ、リモコン装置２００との間で各種制御命令の送受信を可能としている。また、ホスト装置１００との間で楽曲情報や個人設定情報など各種情報の送受信を可能としている。
【００２７】
入力部３０６は、フロントパネルなどに設けられた各種スイッチ群であり、予約選曲、音程コントロールなど各種機能を手動設定可能としている。表示制御部３０４は、制御部３０１と連携し、記憶部３０５に記憶されている楽曲情報中の歌詞情報に基づいて歌詞映像を作成する。そして、映像情報に基づいて背景映像を作成し、背景映像に歌詞映像を重畳した出力映像信号をディスプレイ４０４に出力する表示制御を行う。その他、表示制御部３０４は、各種コンテンツ、広告情報などをディスプレイ４０４にて表示するための表示制御を行う。
【００２８】
音源部３０７は、ＭＩＤＩ、ＰＣＭ、ＭＰＥＧなど、各種規格に基づいた楽曲情報に基づいて楽音信号を形成する再生手段として機能する。この音源部３０７では、単一規格の楽曲情報のみならず、ＭＩＤＩとＰＣＭなどの複数規格を含む楽曲情報を同時に扱うことも可能である。例えば、ＭＩＤＩにて伴奏を再生すると同時に、ＰＣＭ、あるいは、ＭＰＥＧにて模範歌唱、バックコーラス、あるいは、録音音声情報を再生することができる。ミキシング部３０８は、音源部３０７で形成した楽音信号と、マイクロフォン４０３から入力される歌唱者の歌唱音声信号を適宜なバランスで混合する。混合された信号はアンプ４０１に出力されてスピーカー４０２から放音出力される。以上、コマンダ３００の主要
構成について説明したが、ＩＲ信号を送受信可能とする通信部をさらに設け、ＩＲ信号を利用する従来のリモコン装置からの制御命令に対応できる構成を採用してもよい。
【００２９】
次に、本発明の指定手段としての一実施形態であるリモコン装置２００について説明する。図３は、リモコン装置２００の外観（正面図）を示したものであり、筐体中央にはタッチパネル２０７が配置され、ユーザに対して各種表示を行うと共に、スタイラス４０５あるいは指を接触させることによるユーザ入力を受け付ける。本実施形態では、このタッチパネル２０７のみを利用したものとなっているが、この実施形態に限るものではなく、例えば、表示部と各種キーにてユーザ入力を受け付ける形態や、各種キーのみで構成される周知のリモコン形態などが採用できる。
【００３０】
タッチパネル２０７の右上には認証手段としての指紋読取部２０３が設けられる。この指紋読取部２０３上にユーザが指をスライドさせることで指紋が読み取られる。読み取られた指紋は適宜アルゴリズムで特徴が抽出され指紋情報に変換される。認証手段はこの形態に限るものではなく、各種生体認証や、ＩＤとパスワードによる各種のものが採用可能である。
【００３１】
図４は、リモコン装置のブロック構成を示した図であって、２０１はリモコン制御部、２０２はリモコン通信部、２０３は指紋読取部、２０４はリモコン記憶部、２０５はリモコン表示部、２０６はタッチ式センサを示している。タッチ式センサ２０６は透明であってリモコン表示部２０５の表面に配置され、両者にてタッチパネル２０７を構成する。
【００３２】
リモコン制御部２０１はリモコン装置２００全体の制御を司る。リモコン記憶部２０４には、ＲＡＭなど各種メモリやハードディスクが用いられ、楽曲選択のための楽曲リストやサービス処理を行う際に必要となる個人設定情報などが格納される。
【００３３】
タッチ式センサ２０６は、利用者の指やスタイラスなどの接触による入力操作を可能としている。タッチ式センサ２０６による入力を可能とするため、リモコン表示部２０５にはタッチ式センサ２０６に対する制御と連動した表示画像が表示されるようにプログラムされている。なお、入力手段としては、タッチ式センサ２０６に限定されるものではなく、例えば、キーボード、カーソルキーなどの機械的な入力手段を採用してもよい。
【００３４】
リモコン通信部２０２は、無線アクセスポイント７０との間で、例えば、無線ＬＡＮ規格（IEEE802.11a/b/gなど）による無線通信を行う。このリモコン通信部２０２にて、リ
モコン装置２００は、コマンダ３００やホスト装置１００との通信を行う。なお、このリモコン通信部２０２は、例えば、Bluetooth規格（登録商標）により実現することもでき
る。その場合、受け手側のコマンダ３００側に設けられた同規格の通信部により、リモコン装置２００とコマンダ３００は無線通信を行う。更に、リモコン装置２００はコマンダ３００を経由してホスト装置１００との通信を行うこととなる。
【００３５】
リモコン装置２００からコマンダ３００に対する楽曲指定などの各種コマンドは、この通信部２０２を介して送信される。すなわち、リモコン装置２００は、ＬＡＮ上に配置された無線アクセスポイント７０と無線通信を行うこととなるが、コマンダ３００とリモコン装置２００が予め対応付けられているため、コマンダ３００は自分に対する各種コマンドを判別することができる。
【００３６】
指紋読取部２０３で読み取られた指紋情報はホスト装置１００との間で行われる認証処に用いられ、認証に成功したユーザはログインユーザとして各種サービスの提供を受けることが可能となる。なお、ユーザによってはログインのための認証方法として、指紋認証を好まない場合がある。そこで、本実施形態におけるカラオケシステムでは、この指紋読
取部２０３を利用した認証と、タッチパネル２０７からのユーザＩＤと、パスワードを入力することによる認証を選択できるようになっている。
【００３７】
以上、本カラオケ装置におけるハードウェア構成を説明したが、次に、これらハードウェア構成を利用した選曲について図５、図６を用いて説明を行う。図５は本発明の実施形態に係る参照テーブルを示した図であり、図６は本発明の実施形態に係る指定処理を示すフロー図である。
【００３８】
本発明では、入力された楽曲ＩＤが統一楽曲ＩＤである場合に、優先利用する演奏情報の個別楽曲ＩＤを判断するため参照テーブルを用いることとなるが、その一実施形態を図５に示す。図５では、１の統一楽曲ＩＤに複数の個別楽曲ＩＤが対応付けられると共に、複数の個別楽曲ＩＤのいずれか１つには優先楽曲であることを示すフラグ（図中丸印にて記載）が立てられている。この参照テーブルに基づき統一楽曲ＩＤが入力された場合は、優先利用する個別楽曲ＩＤが判別できる。なお、優先楽曲であることを示すフラグに代えて、各個別楽曲ＩＤに優先順位を付与することで優先楽曲であることを判別可能としてもよい。
【００３９】
この参照テーブルを用いた指定処理について図６を用いて説明する。まず、ユーザの操作に基づいてリモコン装置２００に楽曲ＩＤが入力されると（Ｓ１０１）、リモコン装置２００は、リモコン通信部２０２を介し当該楽曲ＩＤをコマンダ３００に送信する（Ｓ１０２）。この楽曲ＩＤとしては、例えば複数桁からなる数字で構成される楽曲番号が用いられるが、数字のみに限ることはなく、文字、あるいは、数字と文字との組み合わせなどで構成してもよい。
【００４０】
一方、楽曲ＩＤを受信したコマンダ３００は、受信した楽曲ＩＤが統一楽曲ＩＤであるか、個別楽曲ＩＤであるかを判断する（Ｓ２０１）。ここでの判断は図６の参照テーブルに基づいて判断することとしてもよいし、予め設けた規則（例えば、楽曲番号で何番以上は統一楽曲ＩＤとするなど）に基づいて判断してもよい。また、統一楽曲ＩＤを個別楽曲ＩＤのいずれか１つと兼用して楽曲ＩＤの増加を抑制することとしてもよい。この場合、入力された楽曲ＩＤに統一楽曲ＩＤであることを示すフラグを立てておくことで、その判別が可能となる。Ｓ２０１で統一楽曲ＩＤであることが判断された場合には、図５の参照テーブルを参照して、当該統一楽曲ＩＤに対応する個別楽曲ＩＤであって、優先楽曲であることを示すフラグが立てられた個別楽曲ＩＤを判別する。判別された個別楽曲ＩＤは、それに対応する演奏情報を再生するために指定される。一方、Ｓ２０１で統一楽曲ＩＤでない、すなわち、個別楽曲ＩＤであることが判断された場合には、当該個別楽曲ＩＤがそのまま指定されることとなる。
【００４１】
以上、説明した指定処理、および、指定処理にて用いられる各種構成が本発明における指定手段を構成することとなる。このような指定手段を利用することにより、入力された楽曲ＩＤが統一楽曲ＩＤである場合には、参照テーブルを参照することで優先的に利用する個別楽曲ＩＤ、すなわち、当該個別楽曲ＩＤに対応付けられた演奏情報を指定することが可能となり、ユーザが意識せずとも優先的に用いる演奏情報を指定することが可能となる。指定手段による個別楽曲ＩＤの指定の後、当該個別楽曲ＩＤに対応する演奏情報が記憶部３０５から読み出され、音源部３０７にて再生される再生処理を行われる（Ｓ２０３）。この再生処理、および、それに必要となる各種構成が本発明における再生手段に相当している。
【００４２】
図６の指定処理は、参照テーブルを用いた判別をコマンダ３００側で行うこととしたが、この判別はリモコン２００側で行うこととしてもよい。図７は別の実施形態に係る指定処理を示した図であって、参照テーブルは図６のコマンダ３００側に格納されていたのと
異なり、リモコン装置２００側に格納される。図６と同様、楽曲ＩＤが入力される（Ｓ１１１）と、統一楽曲ＩＤであるのか個別楽曲ＩＤであるかが判断され（Ｓ１１２）、統一楽曲ＩＤである場合には、Ｓ１１３にて参照テーブルを参照することで優先利用する個別楽曲ＩＤの指定を行う。指定された個別楽曲ＩＤは、リモコン通信部２０２からコマンダ３００に送信されることとなる。一方、個別楽曲ＩＤであると判断した場合には、当該個別楽曲ＩＤをそのままコマンダ３００に送信する。以上の指定処理にて個別楽曲ＩＤを受信したコマンダ３００では、当該個別楽曲ＩＤに対応する演奏情報を音源部３０７に再生させる再生処理を実行する。このように、本発明の実施形態に係る指定処理は、リモコン装置２００側、コマンダ３００側のどちらでもその部分処理を担当してもよい。また、リモコン２００を使用せずに、コマンダ３００に設けられた入力部３０６などにて楽曲ＩＤを入力する構成としても構わない。この場合、コマンダ３００のみで指定処理を実現することとなる。
【００４３】
では、次に他の実施形態に係る参照テーブルについて図８、図９を用いて説明を行う。図５の参照テーブルは、個別楽曲ＩＤに優先楽曲を示すフラグを付しておくことで判別可能としたものであるが、図８、図９の参照テーブルでは、各演奏情報の演奏バージョンを利用することで優先的に利用する個別楽曲ＩＤを判別できる構成としている。まず、図８に示す参照テーブルは、図８（Ａ）、図８（Ｂ）に示す２つのテーブルで構成されている。図８（Ａ）のテーブルは、１つの統一楽曲ＩＤに複数の個別楽曲ＩＤを対応付けると共に、各個別楽曲ＩＤには、ＭＩＤＩバージョン、生音バージョン、半生音バージョン、メーカー音源などの演奏バージョンを示す識別子が付与されている。一方、図８（Ｂ）のテーブルには、各演奏バージョンの優先順位が割り振られている。これら２つのテーブルを参照することで、統一楽曲ＩＤが入力された場合、優先利用する個別楽曲ＩＤを判別することが可能となる。
【００４４】
統一楽曲ＩＤが“9876543”を例にとると、この楽曲には演奏バージョンＡ、Ｂ、Ｃ、
Ｄの個別楽曲ＩＤが存在している。図８（Ｂ）を参照すると、このＡ、Ｂ、Ｃ、Ｄの演奏バージョン中、優先順位が高い演奏バージョンはＡであることが分かる。したがって、統一楽曲ＩＤ“9876543”については、演奏バージョンＡの個別楽曲ＩＤが優先的に用いる
ものとして判別できる。統一楽曲ＩＤ“8765432”については、図８（Ａ）のテーブルに
よると演奏バージョンＡは存在しない。したがって、図８（Ｂ）のテーブルを参照することで、演奏バージョンＢの個別楽曲ＩＤが優先的に用いられることとなる。同様の手順にて、統一楽曲ＩＤ“7654321”については演奏バージョンＣの個別楽曲ＩＤが判別される
。図８（Ａ）には、判別された演奏バージョンを分かり易く示すため丸印を付与している。このように、演奏バージョンの優先順位を利用した参照テーブルによれば、図５の参照テーブルと同様、優先的に用いる個別楽曲ＩＤを判別することができる。さらに、
優先順位を利用することとなるため、例えば、コマンダ３００の機種の相違や、演奏情報が破損している場合など、優先利用する演奏情報が利用不可能な場合であっても、次の順位の演奏情報を指定することができるという副次的な効果も奏することとなる。この点については後ほど説明を行う。
【００４５】
図９に示す別の実施形態の参照テーブルは、図８と同様に２つのテーブルにて構成されるものであるが、さらにテーブル符号を利用することで演奏バージョンの順位に多様性を持たせたものである。図９（Ａ）には図８（Ａ）のテーブルにテーブル符号が更に付与されたものとなっている。図９（Ｂ）のテーブルに付されたテーブル符号の優先順位を参照することで、優先利用する個別楽曲ＩＤを判別することができる。
【００４６】
まず、統一楽曲ＩＤ“9876543”には、テーブル符号“γ”が付与されている。このテ
ーブル符号“γ”について、図９（Ｂ）のテーブルを参照すると、Ｃ、Ａ、Ｂ、Ｄの優先順位であることが分かるため、演奏バージョンＣの個別楽曲ＩＤが用いられる。同様の手
順にて、統一楽曲ＩＤ“8765432”については、演奏バージョンＢの個別楽曲ＩＤが、統
一楽曲ＩＤ“7654321”については、演奏バージョンＤの個別楽曲ＩＤが優先的に用いら
れることとなる。このような実施形態の参照テーブルでは、各楽曲毎に演奏バージョンの優先順位を設定ことができる。例えば、ＭＩＤＩバージョン、生音バージョンの演奏バージョンを有する楽曲について、この楽曲についてはユーザにＭＩＤＩバージョンを優先的に利用させたい、この楽曲については生音バージョンを優先的に利用させたいといった設定が可能となる。なお、図９（Ｂ）では演奏バージョンの優先順位の組み合わせを４種類のみ記載したが、組み合わせの種類の数は必要に応じて適宜決定されるものであり、全ての組み合わせを設けることとしても構わない。
【００４７】
次に、指定手段における楽曲ＩＤの入力について各種実施形態を説明する。図１０はリモコン装置２００にて表示されるリモコン画面を利用した図である。リモコン装置２００は、モードを選択することでリモコン画面をタッチパネル２０７上に表示し、従来の機械式スイッチを用いたリモコン装置同様の機能を実現する。図中、５０１は対象機選択タグ、５０２はテンキー、５０３は楽曲番号表示欄、５０４は再生操作スイッチ群、５０５は音程変更スイッチ、５０６は速度変更スイッチを示している。
【００４８】
対象機器選択タグ５０１は、遠隔操作の対象となる各種機器を選択可能とするタグであり、図ではカラオケ（コマンダ３００）が選択された状態となっている。この対象機器選択タグ５０１で機器を選択することで、選択した機器に応じたリモコン画面が表示される。再生操作スイッチ群５０４は、現在再生されている楽曲に対して各種指示を行うためのスイッチ群であって、一時停止、早戻しなど、そのスイッチに表記されている指示をコマンダ３００に送信する。音程変更スイッチ５０５は、現在再生されている楽曲の音程を変更するためのスイッチであって、音程の上下変更や、標準音程、原曲の音程への変更が可能である。また、速度変更スイッチ５０６は、現在再生されている楽曲の速度を変更するためのスイッチであって、速度（テンポ）の上下変更や、標準速度への変更が可能である。
【００４９】
テンキー５０２は楽曲ＩＤ（楽曲番号）を入力するためのスイッチ群であり、ユーザは歌本を参照することで見つけた楽曲番号や、ユーザ自身が覚えている楽曲番号を入力する。テンキー５０２で入力された数字列は楽曲番号表示欄５０３に表示され、「セット」キーを選択することで楽曲ＩＤが指定手段に入力されることとなる。
【００５０】
ユーザが楽曲ＩＤを見つけるための歌本には、統一楽曲ＩＤのみを掲載しておくことで、異なる演奏バージョンを有する複数の楽曲をまとめて掲載することが可能となり、従来、演奏情報毎に割り振られた楽曲ＩＤにて管理する歌本と比較して、歌本の情報量を削減でき、薄型化、小型化を図ることができる。また、楽曲ＩＤとして歌本に掲載されている統一楽曲ＩＤを入力することにより、優先利用する演奏バージョンの演奏情報が指定できることとなり、メーカ側が推奨する演奏バージョンをユーザが意識することなく選曲できる。  入力された楽曲ＩＤは、図６の指定処理を利用する場合にはそのまま、図７の指定処理を利用する場合は個別楽曲ＩＤに変換された上、予約コマンドとしてコマンダ３００に送信される。また、「クリア」キーを選択すると楽曲番号表示欄５０３に表示されている楽曲ＩＤは消去される。このように図１０のリモコン画面では、ユーザはテンキー５０２などを利用して楽曲ＩＤを入力することができる。なお、本実施形態では、リモコン画面を例にとって説明を行ったが、この実施形態に限られるものではなく、例えば、従来の機械式スイッチを用いたリモコン装置を用い、楽曲ＩＤを入力する構成としてもよい。
【００５１】
次に、楽曲ＩＤの入力に関する別の実施形態について図１１、図１２を用いて説明を行う。図１１はリモコン装置２００に記憶する楽曲リストを示した図であり、図１２（Ａ）、（Ｂ）はリモコン装置２００のタッチパネル２０７上に表示される選曲画面、楽曲詳細
画面をそれぞれ示した図である。図１１の楽曲リストには、ＭＩＤＩバージョン、生音バージョン、半生音バージョン、メーカー音源の「あいうえおの歌」についてそれぞれ、統一楽曲ＩＤ、個別楽曲ＩＤ、楽曲名、歌手名、演奏バージョン名、唄い出しが対応付けられている。これら同一楽曲については、同一の統一楽曲ＩＤ“9876542”が割り当てられ
る。一方、各個別楽曲ＩＤにはそれぞれ異なる楽曲ＩＤが割り当てられる。
【００５２】
この楽曲リストに基づき選曲画面、楽曲詳細画面が表示されることとなるが、ユーザはこれら画面にて、リモコン画面のような楽曲ＩＤの直接入力に代えて楽曲ＩＤを入力することが可能となる。図１２（Ａ）はタッチパネル２０７上に表示される選曲画面であり、ユーザによるモード選択に応じてこの選曲画面が表示される。５０７は検索モードスイッチ、５０８〜５１２は「あいうえおの歌」についての楽曲名、歌手名などの楽曲関連情報が表示された楽曲表示欄、５１３は予約スイッチ、５１４は詳細表示スイッチ、５１５は移動スイッチ、５１６は前画面スイッチを示している。
【００５３】
検索モードスイッチ５０７には、楽曲名順と歌手名順の２つのスイッチがあり排他的に選択可能となっている。楽曲名順のスイッチを選択すると、検索モードスイッチ５０７の下に表示されているあいうえお順のタブは楽曲名に対応し、歌手名順を選択すれば歌手名に対応したものとなる。ユーザはあいうえお順のタブを選択すると共に、移動スイッチ５１２でページを切り換えることで楽曲表示欄を参照し楽曲を検索できる。楽曲リストを参照すると「あいうえおの歌」については、４つの演奏バージョンが存在しているが、楽曲表示欄５０９〜５１２は、それぞれの演奏バージョンに対応したものとなる。それぞれの楽曲表示欄５０９〜５１２には楽曲関連情報として演奏バージョン名が表示される。ユーザは、いずれかの楽曲表示欄５０９〜５１２を選択（楽曲表示欄５０８のように網掛けで表示される）した上で、予約スイッチ５１３を選択することで対応する演奏バージョンの楽曲を予約できる。具体的には、図６のＳ１０１、図７のＳ１１１に対応する処理であって、選択された楽曲表示欄に対応する個別楽曲ＩＤが入力されることとなる。
【００５４】
一方、５０８には、「あいうえおの歌」に関し、演奏バージョン名が記載されない楽曲表示欄が表示されている。この楽曲表示欄５０８は、楽曲リストの統一楽曲ＩＤに対応付けられており、ユーザがこの楽曲表示欄５０８を選択した上で予約スイッチ５１３を選択すると対応付けられている統一楽曲ＩＤが入力されることとなる。このように、統一楽曲ＩＤに対応する楽曲表示欄５０８を表示することで、演奏バージョンにこだわりのないユーザなどに対しては、メーカが推奨する演奏バージョンを簡易に選択させることができる。なお、本実施形態では、この統一楽曲ＩＤに対応する楽曲表示欄５０８は、個別楽曲ＩＤに対応する楽曲表示欄５０９〜５１２よりも前に表示してユーザが選択し易いものとなっているが、この表示形態に限らず、例えば統一楽曲ＩＤに対応する楽曲表示欄５０８については、個別楽曲ＩＤに対応する楽曲表示欄５０９〜５１２と色や大きさを変えて強調表示したり、あるいは、個別楽曲ＩＤに対応する楽曲表示欄５０９〜５１２において、演奏バージョン名を表示する箇所に「おすすめバージョン」などの表示を行い、ユーザに選択を促すようにしてもよい。このような選曲画面にて、ユーザは統一楽曲ＩＤ、個別楽曲ＩＤといった楽曲ＩＤを入力することができる。
【００５５】
さらにこの選曲画面には詳細表示スイッチ５１４が設けられており、このスイッチを選択すると図１２（Ｂ）の楽曲詳細画面が表示される。図１２（Ｂ）は、統一楽曲に対応付けられた楽曲表示欄５０８が選択されたときの楽曲詳細画面を示したものである。この楽曲詳細画面では、この画面ではユーザは１つの楽曲について更なる情報を得たり、音程など各種設定を行って楽曲予約をすることができる。この楽曲詳細画面には、歌手名、楽曲名、唄い出しといった楽曲に関する関連情報が表示される。本実施形態では優先利用する演奏バージョン名も併せて表示される。統一楽曲ＩＤに対応する楽曲表示欄５０８を選択した場合には、一度、参照テーブルに基づいて優先利用する個別楽曲ＩＤが判別され、演
奏バージョン名が表示されることとなる。図６のコマンダ３００に格納する参照テーブルを用いて判別する指定処理の場合には、判別した個別楽曲ＩＤをコマンダ３００から受信する構成とすればよい。楽曲表示欄５０８を選択したユーザはこの楽曲詳細画面にて、優先利用する演奏バージョン名を確認してから予約することができる。この楽曲詳細画面の予約スイッチ５２０が選択されると、表示されている演奏バージョンの個別楽曲ＩＤが指定が実行される。以上、統一楽曲ＩＤに対応する楽曲表示欄５０８が選択された場合の楽曲詳細画面について説明したが、他の個別楽曲ＩＤに対応する楽曲表示欄５０９〜５１２が選択された場合には、それぞれに対応する演奏バージョン名が楽曲名に併せて表示されることとなる。
【００５６】
なお、この楽曲詳細画面において、ログインしてホスト装置１００から個人設定情報を読み出したログインユーザに対しては、マイアーティスト追加スイッチ５１７、マイソング追加スイッチ５１８の利用が可能となる。これらスイッチを選択することで当該歌手、あるいは、当該楽曲を個人設定情報に登録することができる。ユーザは自分の個人設定情報に登録した楽曲、あるいは、歌手に基づいて検索可能となる。
【００５７】
また、音程指定スイッチ欄５１９には、音程を設定予約するための各種スイッチが表示される。♯スイッチ、♭スイッチを選択することで音程を上下することができる。音程上下の様子は、♯スイッチ、♭スイッチの間に位置するインジケータに表示される。このインジケータには原曲の音程を示す位置も表示されており、ユーザが音程を指定する目安となる。また、音程指定スイッチ欄５１９内の右側には、原曲キー予約スイッチが表示されており、これを選択することで♯、♭スイッチを選択することなく原曲の音程を設定することができる。本実施形態では音程設定のみとしたが、この他、演奏情報再生の速度（テンポ）、マイクロフォン４０３の歌唱音声信号に付与するエコーなどの各種音響効果、演奏音に付与する各種音響効果を予約時に設定できるようにしてもよい。
【００５８】
次に図１３を用い楽曲ＩＤの入力に関して、更なる別の実施形態について説明を行う。この実施形態は図１２と同様、図１１の楽曲リストを用いて楽曲ＩＤを入力することができるものとなっている。なお図１２と同一の機能についてはその説明を省略することとする。図１３（Ａ）に示す選曲画面では、図１２（Ａ）のものとは異なり、各演奏バージョンに対応した楽曲表示欄は表示されず、１つの楽曲について１つの楽曲表示欄５２３が表示される。この楽曲表示欄５２３は、図１２（Ａ）の楽曲表示欄５０８と同様、統一楽曲ＩＤに対応付けられており、この楽曲表示欄５０８を選択した上で、予約スイッチ５２４を選択すると、対応付けられた統一楽曲ＩＤが入力されることとなる。このような選曲画面とすることにより、選曲画面には異なる複数の楽曲を表示することが可能となり、図１２（Ａ）のように、１画面に同じ楽曲が複数表示されることなく、ユーザは複数の楽曲を効率よく選択することができる。
【００５９】
この図１３（Ａ）の選曲画面の詳細表示スイッチ５２５が選択されると、図１３（Ｂ）の楽曲詳細画面に移動する。図１２（Ｂ）では楽曲名に演奏バージョン名を併せて表示したが、この画面ではそれに代え、演奏バージョン設定欄５２８が表示される。演奏バージョン設定欄５２８内には、演奏バージョンに対応した複数のスイッチが表示されており、楽曲詳細画面表示直後には、優先利用する演奏バージョンのスイッチが選択された状態で表示される。図では「半生音バージョン」のスイッチが選択された状態にある（反転表示）ことを示している。演奏バージョン設定欄５２８で何も選択しないまま、予約スイッチ５２９を選択すると、優先利用する演奏バージョンの個別楽曲ＩＤが入力されることとなる。一方、このデフォルトで指定された演奏バージョンを変更したいユーザは、演奏バージョン設定欄５２８内で所望の演奏バージョンのスイッチを選択した上で、予約スイッチ５２９を選択する。このような選択によりユーザが選択したスイッチに対応する演奏バージョンの個別楽曲ＩＤが入力されることとなる。以上、図１３（Ａ）の選曲画面、図１３
（Ｂ）の楽曲詳細画面によりユーザは、統一楽曲ＩＤ、個別楽曲ＩＤといった楽曲ＩＤを指定することができる。
【００６０】
では、指定された個別楽曲ＩＤに対応する演奏情報が再生できない場合にも対応可能とする指定処理について図１４を用いて説明を行う。カラオケ装置では新機種に対応した演奏情報が提供されることがあり、古い機種では再生できない演奏情報が存在する状況がある。また、再生に対応する場合であっても演奏情報ファイルが破損してしまうなど、再生できなくなってしまう状況がある。図８、図９のように各個別楽曲ＩＤの優先順位まで判断できる参照テーブルの場合、あるいは、図５の参照テーブルにおいて優先順位を付与した場合には、このような状況に対応することが可能となる。
【００６１】
まず、Ｓ１２１にて楽曲ＩＤが入力されるとリモコン装置２００は、当該楽曲ＩＤをコマンダ３００に送信する（Ｓ１２２）。楽曲ＩＤを受信したコマンダ３００は、Ｓ２２１にて受信した楽曲ＩＤが統一楽曲ＩＤであるのか個別楽曲ＩＤであるかを判断し、統一楽曲ＩＤであると判断した場合には、参照テーブルに基づいて個別楽曲ＩＤを判別（Ｓ２２２）する。さらに、本指定処理では、判別した個別楽曲ＩＤに対応する演奏情報が再生可能か否かをＳ２２３にて判断する。具体的には、判別した個別楽曲ＩＤに対応する演奏情報が、記憶部３０５に格納されているか、音源部３０７にて再生可能な演奏バージョンであるか、演奏情報のファイルが破損していないかなどにより判断する。再生可能と判断した場合には当該個別楽曲ＩＤに基づいて再生が行われる（Ｓ２２８）。一方、再生できないと判断した場合には、参照テーブルに基づいて、次の順位に位置する個別楽曲ＩＤの判別が行われる。このように、演奏情報が生成できない場合には個別楽曲ＩＤを再指定することで、再生可能な演奏情報を判別することができる。なお、図示していないが、全ての個別楽曲ＩＤについて再生できない場合にはエラーメッセージなどを表示して指定処理を終了する。
【００６２】
一方、Ｓ２２１にて個別楽曲ＩＤであると判断した場合には、Ｓ２２４にてＳ２２３と同様、再生可能な演奏情報であるか否かが判断される。再生可能な場合にはＳ２２８にて再生が行われることとなるが、再生できないと判断した場合には、Ｓ２２５にてＳ２２２と同様、参照テーブルの優先順位に基づき、次の順位に位置する個別楽曲ＩＤを再指定が行われ、再生可能な演奏情報が判別されるまで繰り返される。再生可能な演奏情報の個別楽曲ＩＤが判別された場合には、Ｓ２２８にて再生が行われる。なお、この処理においてはＳ２２７にて再生可能と判別した個別楽曲ＩＤがリモコン装置２００に送信され、受信したリモコン装置２００は変更された演奏バージョン名をタッチパネル２０７上に表示することなどでユーザに告知する（Ｓ１２３）。入力された楽曲ＩＤが個別楽曲ＩＤである場合には、ユーザは演奏バージョンを指定した上で選曲を行っている場合であるため、Ｓ２２５にて演奏バージョンが変更された場合には、変更した演奏バージョン名をユーザに告知することが望ましい。なお、変更された演奏バージョン名を告知することに代えて、単に演奏バージョンが変更された旨を告知することとしてもよい。また、Ｓ２２５にて個別楽曲ＩＤの再指定を行わず、再生できないことをユーザに告知して指定処理を終了することとしてもよい。
【００６３】
以上、本実施形態では、個別楽曲ＩＤの優先順位を判別可能とする参照テーブルを利用することで、統一楽曲ＩＤが入力されたときに優先的に利用する個別楽曲ＩＤを判別することができるのみならず、判別した個別楽曲ＩＤに対応する演奏情報が再生できない状況にも対処することができる。なお、図１４では図６と同様、コマンダ３００側で個別楽曲ＩＤを判別する場合について説明したが、リモコン装置２００とコマンダ３００で各種必要となる情報の送受信を行うことで、図７のようにリモコン装置２００側で参照テーブルを管理する場合においても適用できる。
【００６４】
以上、本発明の種々の実施形態について説明したが、本発明はこれらの実施形態のみに限られるものではなく、それぞれの実施形態の構成を適宜組み合わせて構成した実施形態も本発明の範疇となるものである。
【図面の簡単な説明】
【００６５】
【図１】本発明の実施形態に係るカラオケシステムを示した図。
【図２】本発明の実施形態に係るコマンダを示した図。
【図３】本発明の実施形態に係るリモコン装置の外観を示した図。
【図４】本発明の実施形態に係るリモコン装置の内部構成を示した図。
【図５】本発明の実施形態に係る参照テーブルを示した図。
【図６】本発明の実施形態に係る指定処理を示すフロー図。
【図７】本発明の他の実施形態に係る指定処理を示すフロー図。
【図８】本発明の他の実施形態に係る参照テーブルを示した図。
【図９】本発明の他の実施形態に係る参照テーブルを示した図。
【図１０】本発明の実施形態に係るリモコン画面を示した図。
【図１１】本発明の実施形態に係る楽曲リストを示した図。
【図１２】本発明の実施形態に係る選曲画面、楽曲詳細画面を示した図。
【図１３】本発明の他の実施形態に係る選曲画面、楽曲詳細画面を示した図。
【図１４】本発明の他の実施形態に係る指定処理を示すフロー図。
【図１５】従来の楽曲リストを示した図。
【図１６】従来の選曲画面を示した図。
【符号の説明】
【００６６】
５０…通信網、６０…ルータ、７０…無線アクセスポイント、１００…ホスト装置、２００…リモコン装置、２０１…リモコン制御部、２０２…リモコン通信部、２０３…指紋読取部、２０４…リモコン記憶部、２０５…リモコン表示部、２０６…タッチ式センサ、２０７…タッチパネル、３００…コマンダ、３０１…制御部、３０２…通信部、３０３…フロントパネル表示部、３０４…表示制御部、３０５…記憶部、３０６…入力部、３０７…音源部、３０８…ミキシング部、４０１…アンプ、４０２…スピーカ、４０３…マイクロフォン、４０４…ディスプレイ、４０５…スタイラス、５０１…対象機器選択タグ、５０２…テンキー、５０３…楽曲番号表示欄、５０４…再生操作スイッチ群、５０５…音程変更スイッチ、５０６…速度変更スイッチ、５０７…検索モードスイッチ、５０８、５０９、５１０、５１１、５１２…楽曲表示欄、５１３…予約スイッチ、５１４…詳細表示スイッチ、５１５…移動スイッチ、５１６…前画面スイッチ、５１７…マイアーティスト追加スイッチ、５１８…マイソング追加スイッチ、５１９…音程指定スイッチ欄、５２０…予約スイッチ、５２１…前画面スイッチ、５２２…検索モードスイッチ、５２３…楽曲表示欄、５２４…予約スイッチ、５２５…詳細表示スイッチ、５２６…移動スイッチ、５２７…前画面スイッチ、５２８…演奏バージョン設定欄、５２９…予約スイッチ、５３０…前画面スイッチ、６０１…検索モードスイッチ、６０２、６０３、６０４、６０５…楽曲表示欄、６０６…予約スイッチ、６０７…移動スイッチ、６０８…前画面スイッチ
【図１】
2010060844.tif 000003
【図２】
2010060844.tif 000004
【図３】
2010060844.tif 000005
【図４】
2010060844.tif 000006
【図５】
2010060844.tif 000007
【図６】
2010060844.tif 000008
【図７】
2010060844.tif 000009
【図８】
2010060844.tif 000010
【図９】
2010060844.tif 000011
【図１０】
2010060844.tif 000012
【図１１】
2010060844.tif 000013
【図１２】
2010060844.tif 000014
【図１３】
2010060844.tif 000015
【図１４】
2010060844.tif 000016
【図１５】
2010060844.tif 000017
【図１６】
2010060844.tif 000018